(57)【要約】【課題】  貯湯タンクを有する熱源装置と多機能ヘッダー装置と組み合わせることで、湯待ち時間および捨て水の低減が図れる貯湯式給湯装置を実現する。【解決手段】  貯湯タンク１０と、貯湯タンク１０内の給湯水を循環させて沸き上げ運転するヒートポンプユニット２０と、貯湯タンク１０から供給される給湯水と給水配管から供給される冷水とを混合して給湯栓６０に供給する湯水混合手段５０を複数有する給湯ヘッダー４０と、上記給湯水を給湯ヘッダー４０に供給する給湯水供給回路３０とを備える貯湯式給湯装置であって、  給湯水供給回路３０は、給湯栓６０が閉弁されている出湯待機中に、給湯ヘッダー４０に供給される貯湯タンク１０からの給湯水が所定温度以上に保温されるように構成した。これにより、湯待ち時間および捨て水の低減が図れる。【選択図】        図１
2005134041.tif 000002
【特許請求の範囲】
【請求項１】
給湯水を蓄える貯湯タンク（１０）と、
ヒートポンプサイクルからなり前記貯湯タンク（１０）内の給湯水を循環させて沸き上げ運転する熱源装置（２０）と、
前記貯湯タンク（１０）から供給される給湯水と給水配管から供給される冷水とを混合して給湯栓（６０）に供給する湯水混合手段（５０）を複数有する多機能ヘッダー装置（４０）と、
前記貯湯タンク（１０）に蓄えられた給湯水を前記多機能ヘッダー装置（４０）に供給する給湯水供給回路（３０）とを備える貯湯式給湯装置であって、
前記給湯水供給回路（３０）は、前記給湯栓（６０）が閉弁されている出湯待機中に、前記多機能ヘッダー装置（４０）に供給される前記貯湯タンク（１０）からの給湯水が所定温度以上に保温されるように構成したことを特徴とする貯湯式給湯装置。
【請求項２】
前記貯湯タンク（１０）内に第１熱交換器（３１）が配設され、前記給湯水供給回路（３０）は、前記多機能ヘッダー装置（４０）に供給される給湯水が所定温度以下のときに、前記給湯水を前記第１熱交換器（３１）に循環させて保温するように構成したことを特徴とする請求項１に記載の貯湯式給湯装置。
【請求項３】
前記多機能ヘッダー装置（４０）は、前記湯水混合手段（５０）の他に、前記貯湯タンク（１０）から供給される給湯水を熱媒体に変換させて、その熱媒体を暖房用放熱器（８０）に供給する暖房熱源手段（７０）とが一体に構成されたことを特徴とする請求項１または請求項２に記載の貯湯式給湯装置。
【請求項４】
前記多機能ヘッダー装置（４０）は、前記湯水混合手段（５０）の他に、前記貯湯タンク（１０）から供給される給湯水を用いて浴水を追い焚きする浴水追い焚き手段（９０）とが一体に構成されたことを特徴とする請求項１または請求項２に記載の貯湯式給湯装置。
【請求項５】
前記熱源装置（２０）は、冷媒が二酸化炭素であることを特徴とする請求項１ないし請求項４のいずれか一項に記載の貯湯式給湯装置。
【発明の詳細な説明】
【技術分野】
【０００１】
本発明は、給湯水を蓄える貯湯タンクと蓄えられた給湯水の用途に応じた各種機能ヘッダーを一体に構成する多機能ヘッダー装置とを備える貯湯式給湯装置に関するものであり、多機能ヘッダー装置に供給される給湯水の保温に関する。
【背景技術】
【０００２】
近年の給湯器システムでは、従来のカランやシャワーの各種給湯栓に設定温度のお湯を供給する給湯機能に加え、給湯器により加熱された給湯水を用いて、浴水を追い焚きするための追い焚き機能や、洗面室、台所などを暖房するための暖房機能を備える多機能の給湯装置が提供されている。
【０００３】
これらの多機能化を実現させる一例として、例えば、特許文献１に示すような給湯ヘッダー、追い焚きヘッダー、および暖房ヘッダーなどを一体に構成する多機能ヘッダー装置を給湯器に併設させて給湯器システムの配管経路を単純化させているものが知られている。
【０００４】
上記、多機能ヘッダー装置では、給湯器から供給される給湯水（温水）と給水配管から供給される水道水（冷水）とを混合して給湯栓に供給する湯水混合手段を複数備える給湯ヘッダーや、この給湯ヘッダーに加え、給湯器に追い焚き機能および暖房機能を実現させるための機能ユニット（追い焚きヘッダー、暖房ヘッダーなど）を一ケ所に収容可能となる集中配管装置として構成している。
【０００５】
さらに、上記給湯ヘッダーには、湯水混合手段の出湯温度を制御する温度制御手段、湯水混合手段の出湯流量を制御する流量制御手段、および上記給湯器の運転制御を行なう給湯器制御手段が設けられ、給湯栓ごとに独立した湯温と湯量調整が可能となるようにして、給湯器システムにおける捨て水と湯待ち時間とを低減させて省エネルギー化を図っている（例えば、特許文献１参照。）。
【特許文献１】特開２００３−１６１４５４号公報
【発明の開示】
【発明が解決しようとする課題】
【０００６】
しかしながら、上記特許文献１のような給湯器システムによれば、給湯器により所定温度に加熱された給湯水は、給湯栓が閉弁されているときに、給湯器と多機能ヘッダー装置との間の配管中に停滞してしまうため冷却されてしまう。
【０００７】
そして、給湯栓を開弁したときに給湯器が運転されるように制御されるため、給湯栓開弁直後の暫くの間は、多機能ヘッダー装置に供給される給湯水の湯温が低下しているため設定温度の湯温が得られず、設定温度に達するまでの湯待ち時間を必要としている。特に、外気温の低い冬季や寒冷地においては、この湯待ち時間が必然的に多くなるため捨て水が増加する問題がある。
【０００８】
また、上記湯待ち時間を短くするために、給湯器と多機能ヘッダー装置との間の配管をパイプヒータなどで保温させる方法があるが給湯器回りの配管が複雑となるとともに保温のためのランニングコストが割高となる問題がある。
【０００９】
そこで、本発明の目的は、上記点を鑑みたものであり、貯湯タンクを有する熱源装置と多機能ヘッダー装置と組み合わせることで、湯待ち時間および捨て水の低減が図れる貯湯式給湯装置を提供することにある。
【課題を解決するための手段】
【００１０】
上記、目的を達成するために、請求項１ないし請求項５に記載の技術的手段を採用する。すなわち、請求項１に記載の発明では、給湯水を蓄える貯湯タンク（１０）と、ヒートポンプサイクルからなり貯湯タンク（１０）内の給湯水を循環させて沸き上げ運転する熱源装置（２０）と、貯湯タンク（１０）から供給される給湯水と給水配管から供給される冷水とを混合して給湯栓（６０）に供給する湯水混合手段（５０）を複数有する多機能ヘッダー装置（４０）と、貯湯タンク（１０）に蓄えられた給湯水を多機能ヘッダー装置（４０）に供給する給湯水供給回路（３０）とを備える貯湯式給湯装置であって、
給湯水供給回路（３０）は、給湯栓（６０）が閉弁されている出湯待機中に、多機能ヘッダー装置（４０）に供給される貯湯タンク（１０）からの給湯水が所定温度以上に保温されるように構成したことを特徴としている。
【００１１】
請求項１に記載の発明によれば、多機能ヘッダー装置（４０）に供給される給湯水が常時所定温度以上に保温されるように構成したことにより、給湯栓（６０）開弁後、直ちに湯水混合手段（５０）により設定温度の湯温に混合された給湯水が給湯栓（６０）に供給されるため、湯待ち時間および捨て水の低減が図れる。
【００１２】
請求項２に記載の発明では、貯湯タンク（１０）内に第１熱交換器（３１）が配設され、給湯水供給回路（３０）は、多機能ヘッダー装置（４０）に供給される給湯水が所定温度以下のときに、給湯水を第１熱交換器（３１）に循環させて保温するように構成したことを特徴としている。
【００１３】
請求項２に記載の発明によれば、給湯水供給回路（３０）内の給湯水を第１熱交換器（３１）に循環させて保温するように構成したことにより、貯湯タンク（１０）内の給湯水を多機能ヘッダー装置（４０）に供給される給湯水の保温のための熱源として利用できるため、別体のパイプヒータなどの加熱手段を必要とせず保温のためのランニングコストが低減できる。
【００１４】
請求項３に記載の発明では、多機能ヘッダー装置（４０）は、湯水混合手段（５０）の他に、貯湯タンク（１０）から供給される給湯水を熱媒体に変換させて、その熱媒体を暖房用放熱器（８０）に供給する暖房熱源手段（７０）が一体に構成されたことを特徴としている。
【００１５】
請求項３に記載の発明によれば、湯水混合手段（５０）の他に暖房熱源手段（７０）が一体に構成されたことにより、貯湯タンク（１０）内の給湯水を暖房用放熱器（８０）の熱源として利用できるため、給湯機能の他に給湯装置の多機能化が図れる。しかも、湯水混合手段（５０）と一体に構成したことで暖房機能が併設されても給湯装置回りの配管の単純化が図れる。
【００１６】
請求項４に記載の発明では、多機能ヘッダー装置（４０）は、湯水混合手段（５０）の他に、貯湯タンク（１０）から供給される給湯水を用いて浴水を追い焚きする浴水追い焚き手段（９０）が一体に構成されたことを特徴としている。
【００１７】
請求項４に記載の発明によれば、湯水混合手段（５０）の他に浴水追い焚き手段（９０）が一体に構成されたことにより、貯湯タンク（１０）内の給湯水を浴水追い焚き手段（９０）の熱源として利用できるため、給湯機能の他に給湯装置の多機能化が図れる。しかも、湯水混合手段（５０）と一体に構成したことで暖房機能が併設されても給湯装置回りの配管の単純化が図れる。
【００１８】
請求項５に記載の発明では、熱源装置（２０）は、冷媒が二酸化炭素であることを特徴としている。請求項５に記載の発明によれば、二酸化炭素を用いる熱源装置（２０）は、超臨界ヒートポンプサイクルであるため、貯湯タンク（１０）に蓄えられる給湯水を高温（例えば、８５〜９０℃程度）にすることができるとともに、周知のフロン、代替フロンの冷媒を用いたヒートポンプサイクルよりも経済性が優れる。
【００１９】
また、貯湯タンク（１０）内の給湯水を高温で蓄えられることにより、高温の給湯水を給湯機能の他に、上述したように暖房機能や追い焚き機能などの多機能化が図れることが容易にできる。
【００２０】
なお、上記各手段の括弧内の符号は、後述する実施形態の具体的手段との対応関係を示すものである。
【発明を実施するための最良の形態】
【００２１】
（第１実施形態）
以下、本発明の第１実施形態による貯湯式給湯装置を図１に基づいて説明する。図１は貯湯タンク１０に給湯水を蓄える給湯器システムに多機能ヘッダーのうち給湯ヘッダー４０のみを一体に構成させて本発明を適用したものであり、貯湯式給湯装置の全体構成を示す模式図である。
【００２２】
本実施形態の貯湯式給湯装置は、図１に示すように、給湯水を蓄える貯湯タンク１０と、ヒートポンプサイクルからなり貯湯タンク１０内の給湯水を循環させて沸き上げ運転する熱源装置であるヒートポンプユニット２０と、貯湯タンク１０から供給される給湯水（温水）と給水配管である導入管１１から供給される水道水（冷水）とを混合して給湯栓６０に供給する湯水混合手段５０を複数有する多機能ヘッダー装置である給湯ヘッダー４０と、貯湯タンク１０に蓄えられた給湯水を給湯ヘッダー４０に供給する給湯水供給回路３０と、制御装置２００から構成されている。
【００２３】
貯湯タンク１０は、耐食性に優れた金属製（例えば、ステンレス製）のタンクであり、外周部に図示しない断熱材が配置されており、高温の給湯水を長時間に渡って保温することができるようになっている。また、貯湯タンク１０は縦長形状であり、その底面には導入口１０ａが設けられ、この導入口１０ａには貯湯タンク１０内に水道水を導入する給水配管である導入管１１が接続されている。この導入管１１には温度検出手段である給水サーミスタ１２が設けられており、導入管１１内の温度情報を後述する制御装置２００に出力するようになっている。
【００２４】
また、導入管１１には導入される水道水の水圧が所定圧となるように調節するとともに、断水などにおける湯の逆流を防止する減圧逆止弁１３が設けられている。そして、導入管１１の給水サーミスタ１２および減圧逆止弁１３が設けられた位置より下流の給水分岐点１１ａと後述する混合弁１５とはバイパス経路である給水配管１４により繋がれている。
【００２５】
一方、貯湯タンク１０の最上部には導出口１０ｂが設けられ、この導出口１０ｂには貯湯タンク１０内の湯を導出するための給湯経路である導出管１６が接続されている。導出管１６の経路途中には逃がし弁１７が配設された排出配管１８を接続しており、貯湯タンク１０内の圧力が所定圧以上に上昇した場合には、貯湯タンク１０内の湯を外部に排出して、貯湯タンク１０等にダメージを与えないようになっている。
【００２６】
１５は湯水混合手段である混合弁であり、導出管１６と給水配管１４との合流点に配置されている。この混合弁１５は、サーモワックスが内蔵された温調用混合弁であって、ここでは、貯湯タンク１０から供給される給湯水（温水）と、給水配管１４から供給される水道水（冷水）とを混合させて、混合弁１５の出口側の湯温が所定温度（例えば、６０℃程度）になるようにしている。
【００２７】
また、混合弁１５の出口側は後述する第１分岐点３０ａと接続される給湯配管１６ａが接続されており、この給湯配管１６ａには流量カウンタ１９が設けられており、この流量カウンタ１９は給湯配管１６ａ内の流量情報を後述する制御装置２００に出力するようになっている。なお、流量カウンタ１９が給湯配管１６ａ内の水の流れを検出したときには、後述する複数の給湯栓６０のうち、いずれか一つの給湯栓６０ａ〜６０ｄが開弁されており出湯状態である。
【００２８】
一方、貯湯タンク１０の下部には、貯湯タンク１０内の水を吸入するための吸入口１０ｃが設けられ、貯湯タンク１０の上部には、貯湯タンク１０内に湯を吐出する吐出口１０ｄが設けられている。吸入口１０ｃと吐出口１０ｄとは循環回路２１で接続されており、循環回路２１の一部は熱源装置であるヒートポンプユニット２０内に配置されている。
【００２９】
また、循環回路２１のヒートポンプユニット２０内に配置された部分には、図示しない熱交換器が設けられており、吸入口１０ｃから吸入した貯湯タンク１０内の水を高温冷媒との熱交換により加熱し、吐出口１０ｄから貯湯タンク１０内に戻すことにより貯湯タンク１０内の水を沸き上げることができるようになっている。
【００３０】
なお、本実施形態のヒートポンプユニット２０は、図示しない圧縮機、凝縮器、減圧器、蒸発器などのヒートポンプサイクルを構成する冷媒機能部品からなる超臨界ヒートポンプである。この超臨界ヒートポンプとは、高圧側の冷媒圧力が冷媒の臨界圧力以上となるヒートポンプサイクルを言い、例えば、二酸化炭素、エチレン、エタン、酸化窒素などを冷媒とするヒートポンプサイクルである。
【００３１】
因みに、超臨界ヒートポンプによれば、一般的なヒートポンプサイクルよりも高温（例えば、８５℃〜９０℃程度）の給湯水を沸き上げることができる。また、ヒートポンプユニット２０は後述する制御装置２００からの制御信号により作動するとともに、作動状態を制御装置２００に出力するようになっている。
【００３２】
さらに、貯湯タンク１０の上部外壁面には、貯湯タンク１０内上部の水温を検出する出湯サーミスタ（図示しない）が設けられており、導出口１０ｂから導出される水の温度情報を後述する制御装置２００に出力するようになっている。また、貯湯タンク１０の外壁面には、図示しない複数の水位サーミスタが縦方向にほぼ等間隔に配置され、貯湯タンク１０内に満たされた水の各水位レベルでの温度情報を後述する制御装置２００に出力するようになっている。従って、後述する制御装置２００は、図示しない水位サーミスタからの温度情報に基づいて、貯湯タンク１０内上方の沸き上げられた湯と貯湯タンク１０内下方の沸き上げられる前の水との温度境界位置を検出できるようになっている。
【００３３】
次に、給湯ヘッダー４０は、混合弁１５から供給される給湯水（温水）と給水配管である導入管１１から供給される水道水（冷水）とを混合して給湯栓６０（図示例では６０ａ〜６０ｄ）に供給する装置であって、図示のように、複数の湯水混合手段５０（図示例では５０ａ〜５０ｄ）から構成されている。
【００３４】
各々の湯水混合手段５０は、貯湯タンク１０から後述する給湯水供給回路３０を介して供給される給湯水（温水）と導入管１１から供給される水道水（冷水）とを混合する混合弁５１と、この混合弁５１で混合された湯水の出湯流量を調節する流量調節手段５２と、この流量調節手段５２の下流に設けられて、出湯流量および出湯温度を検出するフィードバックセンサ５３と、混合弁５１および流量調節手段５２の動作を制御する弁制御装置５４とを主要部として構成されている。
【００３５】
つまり、混合弁５１で混合された湯水が流量調節手段５２およびフィードバックセンサ５３により設定温度に調節された給湯水が出湯用の配管５５を経て給湯栓６０に供給可能とされている。なお、本実施形態の混合弁５１は、弁制御装置５４からの制御信号に基づいて、給湯水供給回路３０から給湯水（温水）と導入管１１から供給される水道水（冷水）との混合比率を設定する弁装置であって、給湯水（温水）と水道水（冷水）との混合比率を調節することにより設定温度の湯水を得るように構成されている。また、流量調節手段５２は、弁制御装置５４からの制御信号に基づいて弁の開度を設定する弁装置であって、弁の開度を調節することにより所望の設定流量の出湯を行なうように構成している。
【００３６】
また、弁制御装置５４は、混合弁５１および流量調節手段５２に対して制御信号を出力可能に構成されたマイクロコンピュータであって、図示しない通信線を介してこれら混合弁５１および流量調節手段５２と電気的に接続されている。さらに、弁制御装置５４には、フィードバックセンサ５３も同様に図示しない通信線を介して電気的に接続されおり、フィードバックセンサ５３で検出される出湯流量や出湯温度の温度、流量情報が弁制御装置５４に取り込み可能とされている。
【００３７】
そして、弁制御装置５４は、図示のように給湯栓６０の操作パネル６１と図示しない通信線を介して接続され、この操作パネル６１で設定される設定温度や出湯流量の設定情報の取り込みも可能とされている。なお、給湯栓６０は、台所や浴室のカラン，シャワーのように湯水の出湯を行なうことがある水栓であって、ここでは、上述したように各給湯栓６０には湯水混合手段５０から湯水が供給されるので、給湯栓６０には温水と冷水を混合する機能を持たない単水栓が用いられている。
【００３８】
また、給湯栓６０には、それぞれ設定温度や出湯流量などを設定するための操作パネル６１が備えられており、この操作パネル６１と弁制御装置５４とが電気的に接続され、操作パネル６１で操作された操作信号が弁制御装置５４に入力されるように構成されている。なお、図示例では、６０ａが洗面所のカラン、６０ｂが浴室（浴槽用）のカラン、６０ｃがシャワー、６０ｄが台所のカランを示している。
【００３９】
次に、本発明の要部である給湯水供給回路３０について説明する。この給湯水供給回路３０は、複数の給湯栓６０すべてが閉弁されたとき、つまり、出湯待機中に、給湯ヘッダー４０に供給される給湯水が所定温度（例えば、６０℃程度）以下とならないように保温を行なうための循環回路である。
【００４０】
具体的には、第１分岐点３０ａ、混合弁５１の一方側に連通する温水側入口３０ｂ、逆止弁３２、循環ポンプ３３、第１熱交換器３１、三方弁３４、第１分岐点３０ａの順に、環状に循環する回路、循環ポンプ３３と第１熱交換器３１との間に設けられた第２分岐点３０ｃと三方弁３４とを接続するバイパス回路３５および第１分岐点３０ａと温水側入口３０ｂとの間に給湯サーミスタ３６を構成している。
【００４１】
第１熱交換器３１は貯湯タンク１０内の上方に配設され、給湯水供給回路３０内の給湯水を加熱するための水−水熱交換器であって、ヒートポンプユニット２により沸き上げられた給湯水の熱量を熱源としている。循環ポンプ３３は電動ポンプであり、後述する制御装置２００により制御され、複数の給湯栓６０すべてが閉弁される出湯待機中に、給湯水の湯温の検出と、検出された湯温が所定温度以下（例えば、６０℃程度）のときに、作動するように制御される。
【００４２】
三方弁３４は、図中に示す矢印ａまたは矢印ｂのいずれか一方の流れ方向に切り換える切換弁であり、後述する制御装置２００により制御され、給湯サーミスタ３６より検出された湯温に基づいて流れ方向が制御される。また、給湯サーミスタ３６は、給湯ヘッダー４０に供給される給湯水の湯温を検出する温度センサであり、後述する制御装置２００に温度情報を出力するようにしている。
【００４３】
ところで、給湯ヘッダー４０に供給される給湯水は、複数の給湯栓６０すべてが閉弁される出湯待機中においては、給湯水供給回路３０内で停滞しており、湯温が順次低下してしまう。そこで、本発明では、この出湯待機中に、循環ポンプ３３を所定時間毎に作動させて給湯水供給回路３０内の給湯水の湯温を検出するとともに、給湯水の湯温が所定温度（例えば、６０℃程度）以下のときは、三方弁３４を矢印ｂ側に切り換えて、給湯水供給回路３０内の給湯水を第１熱交換器３１側に循環させるようにしている。これにより、給湯水供給回路３０内の給湯水が所定温度（例えば、６０℃程度）以上に保温されることになる。
【００４４】
制御装置２００は、上述したヒートポンプユニット２０、各々の湯水混合手段５０、および給湯水供給回路３０内の循環ポンプ３３、三方弁３４などを制御するマイクロコンピュータであって、ヒートポンプユニット２０に内蔵されるヒートポンプユニット制御用のマイクロコンピュータ（図示せず）および各弁制御装置５４に電気的に接続されている。また、上述したように、制御装置２００は、給水サーミスタ１２および給湯サーミスタ３６からの温度情報が取得可能とされている。
【００４５】
次に、上記構成による貯湯式給湯装置の作動について説明する。まず、図示しない電源スイッチがオンされると、制御装置２００は、ヒートポンプユニット２０を制御させて通常の温調給湯制御を行なう。この温調給湯制御が実行されると、制御装置２００は、貯湯タンク１０に設けられた各サーミスタ（図示せず）からの温度情報等や、図示しない操作盤により設定された時刻情報等に基づいて、適宜ヒートポンプサイクル２０を作動させ貯湯タンク１０内の水を加熱して高温（例えば８５℃の湯）の給湯水を蓄えておく。
【００４６】
そして、複数の給湯栓６０のいずれかが開弁されると、混合弁１５により貯湯タンク１０から供給される高温の給湯水と導入管１１から供給される水道水とを混合させて所定温度（例えば、６０℃程度）の給湯水が湯水混合手段５０に供給される。
【００４７】
そして、湯水混合手段５０では、給湯栓６０の操作パネル６１にて設定された設定温度、設定流量と、フィードバックセンサ５３により検出された温度、流量情報とに基づいて、混合弁５１および流量調整手段５２が制御されて所望する出湯が得られる。ここで、混合弁５１は、給湯水供給回路３０から供給される給湯水（温水）と導入管１１から供給される水道水（冷水）との混合の湯水である。
【００４８】
ところで、複数の給湯栓６０のすべてが閉弁される出湯待機中は、混合手段５０に供給される給湯水が給湯水供給回路３０内で停滞してしまう。そこで、本発明では、この出湯待機中に、循環ポンプ３３を所定時間毎に作動させて給湯水供給回路３０内の給湯水の湯温を検出するとともに、給湯水の湯温が所定温度（例えば、６０℃程度）以下のときは、三方弁３４を矢印ｂ側に切り換えて、給湯水供給回路３０内の給湯水を第１熱交換器３１側に循環させることで、混合手段５０に供給される給湯水が所定温度（例えば、６０℃程度）以上に保温されることになる。
【００４９】
これにより、出湯待機中に給湯水供給回路３０内に停滞する給湯水は保温されているので、いずれかの給湯栓６０が開弁されたときであっても常時湯水混合手段５０に供給される給湯水は一定の湯温の給湯水が供給される。従って、設定温度に達するまでの湯待ち時間および捨て水の低減が図れるものである。
【００５０】
以上の第１実施形態の貯湯式給湯装置によれば、給湯栓６０のすべてが閉弁されている出湯待機中に、湯水混合手段５０に供給される貯湯タンク１０からの給湯水が所定温度（例えば、６０℃程度）以上に保温されるように構成したことにより、給湯栓６０開弁後、直ちに湯水混合手段５０により設定温度の湯温に混合された給湯水が給湯栓６０に供給されるため、湯待ち時間および捨て水の低減が図れる。
【００５１】
また、貯湯タンク１０内に第１熱交換器３１を配設し、給湯水供給回路３０内の給湯水をこの第１熱交換器３１に循環させて保温するように構成したことにより、貯湯タンク１０内の給湯水を湯水混合手段５０に供給される給湯水の保温のための熱源として利用できるため、別体のパイプヒータなどの加熱手段を必要とせず保温のためのランニングコストが低減できる。
【００５２】
また、本実施形態のヒートポンプユニット２０は、冷媒が二酸化炭素であることにより、二酸化炭素を用いと、超臨界ヒートポンプサイクルであるため、貯湯タンク１０に蓄えられる給湯水を高温（例えば、８５〜９０℃程度）にすることができるとともに、周知のフロン、代替フロンの冷媒を用いたヒートポンプサイクルよりも経済性が優れる。
【００５３】
（第２実施形態）
以上の第１実施形態では、多機能ヘッダーである給湯ヘッダー４０を給湯水供給回路３０で保温した給湯水を複数の湯水混合手段５０に供給させるように構成したが、これに限らず、給湯機能の他に、給湯水供給回路３０で保温した給湯水を熱媒体に変換して暖房用放熱器に供給する暖房機能を一体に構成しても良い。具体的には、図２に示すように、給湯機能の他に、暖房機能として床暖房機能を付加したもので、このときには、給湯水供給回路３０で保温した給湯水を熱源とする暖房熱源手段７０を機能ヘッダーとして給湯ヘッダー４０に一体に構成させている。
【００５４】
因みに、本実施形態の暖房熱源手段７０は、給湯水供給回路３０で保温した給湯水と熱媒体とが熱交換する第２熱交換器７１、上記給湯水の第２熱交換器７１への流通を開閉する一次側電磁弁７２、熱媒体を暖房用放熱器である床暖房用放熱器８０に循環させる循環ポンプ７３、および熱媒体の循環流量を調節する流量調整弁７４から構成されている。従って、床暖房放熱器８０は配管７５を介して熱媒体が循環されるように構成されている。なお、図中８１は操作パネルであり、７６は床暖房用制御装置であり、制御装置２００と電気的に接続されている。これにより、暖房熱源手段７０は、給湯水供給回路３０で保温した給湯水が第２熱交換器７１に供給され、この給湯水と熱交換された熱媒体が床暖房用放熱器８０に供給されることで床暖房が可能となる。
【００５５】
以上の構成による貯湯式給湯装置によれば、湯水混合手段５０の他に、暖房熱源手段７０が一体に構成されたことにより、貯湯タンク１０内の給湯水を床暖房用放熱器８０の熱源として利用できるため、給湯機能の他に給湯装置の多機能化が図れる。しかも、湯水混合手段５０と一体に構成したことで暖房機能が併設されても給湯装置回りの配管の単純化が図れる。
【００５６】
さらに、上述した給湯機能、暖房機能の他に、浴水の追い焚き機能を一体に構成しても良い。具体的には、図２に示すように、湯水混合手段５０および暖房熱源手段７０の他に、浴水を循環させて追い焚きする浴水追い焚き手段９０を一体に構成させている。このときには、浴水追い焚き手段９０を機能ヘッダーとして給湯ヘッダー４０に一体に構成させている。
【００５７】
因みに、浴水追い焚き手段９０は、給湯水供給回路３０で保温した給湯水と浴水とが熱交換する第３熱交換器９１、上記給湯水の第３熱交換器９１への流通を開閉する一次側電磁弁９２、および浴槽内の浴水を第３熱交換器９１に循環させる循環ポンプ９３、および水温サーミスタ９４から構成されている。なお、図中９５は操作パネルであり、９６は追い焚き用制御装置であり、制御装置２００と電気的に接続されている。
【００５８】
以上の構成による浴水追い焚き手段９０によれば、給湯水供給回路３０で保温した給湯水が第３熱交換器９１に供給され、この給湯水と熱交換された浴水の追い焚きが可能となる。従って、湯水混合手段５０、暖房熱源手段７０の他、浴水追い焚き手段９０が一体に構成されたことにより、上記同様に、貯湯タンク１０内の給湯水を浴水追い焚き手段９０の熱源として利用できるため、給湯機能、暖房機能の他に給湯装置の多機能化が図れる。
【００５９】
（他の実施形態）
以上の実施形態では、給湯水供給回路３０内に三方弁３４を配設させたが、これに限らず、第１分岐点３０ａの上流側に設けられた混合弁１５を配設させても良い。なお、第１分岐点３０ａの上流側に設けられた混合弁１５は、以上の実施形態ではサーモワックスが内蔵する固定式の温調混合弁を用いたが、これに限らず、混合弁５１と同じ方式のものでも良い。また、以上の実施形態では所定温度を６０℃程度としたがこの数字に限定するものではない。
【００６０】
また、以上の実施形態では、冷媒に二酸化炭素を用いたヒートポンプユニット２０を熱源装置として説明したが、これに限らず、フロン、代替フロンなどの冷媒を用いる一般的なヒートポンプサイクルでも良い。
【図面の簡単な説明】
【００６１】
【図１】本発明の第１実施形態における貯湯式給湯装置の全体構成を示す模式図である。
【図２】本発明の第２実施形態における貯湯式給湯装置の全体構成を示す模式図である。
【符号の説明】
【００６２】
１０…貯湯タンク
２０…ヒートポンプユニット（熱源装置）
３０…給湯水供給回路
３１…第１熱交換器
４０…給湯ヘッダー（多機能ヘッダー装置）
５０…湯水混合手段
６０…給湯栓
７０…暖房熱源手段
８０…床暖房用放熱器（暖房用放熱器）
９０…追い焚き手段
【図１】
2005134041.tif 000003
【図２】
2005134041.tif 000004